(57)【特許請求の範囲】
【請求項１】
香箱真に嵌合する時計駆動用のぜんまいを収納した香箱において、
前記ぜんまいが解けるときの回転力を輪列機構に伝達する歯が、前記香箱の側壁部の上端面又は下端面に、前記香箱真の軸方向と並行する凸形状で一体に設けられており、
前記凸形状は、前記側壁部の厚みと異なっている
ことを特徴とする香箱。
【請求項２】
香箱真に嵌合する時計駆動用のぜんまいを収納した香箱において、
前記ぜんまいが解けるときの回転力を輪列機構に伝達する歯が、前記香箱の側壁部の上端面又は下端面に、前記香箱真の軸方向と並行する凸形状で一体に設けられており、
前記香箱の上面又は下面を覆う蓋部材と前記凸形状とが噛合う構造で嵌合されている
ことを特徴とする香箱。
【発明の詳細な説明】
【技術分野】
【０００１】
本発明は、ぜんまい式の機械時計に関し、特に、その動力源であるぜんまいを収納する香箱に関する。
【背景技術】
【０００２】
従来技術の時計用香箱としてよく知られた構造の参考例を図６を用いて説明する。図６Ａは、従来の時計用香箱（以下、「香箱」と記載する）の斜視図であり、図６Ｂは、図６Ａの香箱の断面図である。
【０００３】
図６Ａ及び図６Ｂに示すように、従来の香箱１００は、浅いドラム形状であって、その側壁部と底部を形成する香箱体１２０と、上面を形成する香箱蓋１３０と、中心軸をなす香箱真１１０により形成される閉空間にぜんまい１４０が収納されている。香箱体１２０と一体の香箱歯車１２１は、径方向に突出して設けられ、輪列機構の１つである２番車５０のカナ５１と噛み合う。
【０００４】
ぜんまい１４０は、その内端が香箱真１１０のフックに引っ掛け固定され、その外周端がスリッピングアタッチメントを介して香箱体１２０の側壁部１２２の内側の壁に摩擦抵抗で滑合され、香箱真１１０を回してぜんまい１４０を巻き上げることにより香箱１００に回転力が貯えられる。そして、そのぜんまい１４０の回転力が香箱真１１０を軸として香箱体１２０の香箱歯車１２１を回転し、２番車５０から輪列機構を介して脱進機及び調速機に伝達される機械式時計の動力源を形成する。
【０００５】
そして、機械式時計のムーブメントに占める香箱１００のサイズは、最大径が香箱歯車１２１の歯先円ｄｋとなっている。従って、ぜんまい１４０を収納する香箱体１２０の側壁部１２２の外径ｄｒは、香箱歯車１２１の歯先円ｄｋより少なくとも歯丈の分、径小に形成されている。
【０００６】
また、他の従来技術として、香箱体と香箱歯車を独立して別々に製作し、次に、それぞれの凹部と凸部を嵌め合わせて一体化し香箱を形成する技術が提案されている（例えば、特許文献１参照。）。
【０００７】
それは、香箱体と香箱歯車を別部品として製作することで量産性の向上を図るものである。
【先行技術文献】
【特許文献】
【０００８】
【特許文献１】特開昭５１−１２８５６３号公報（第１頁、第１図）
【発明の概要】
【発明が解決しようとする課題】
【０００９】
ところで、機械式時計等におけるぜんまいを動力源とする機構は、駆動時間を確保するために香箱に多くの回転力を貯えることが重要である。すなわち、より大きなサイズの香箱を用いればよい。そうすると、ぜんまいの巻き数を増やすことができ、より長いぜんまいを用いることができるから、多くの回転力を貯えることができる。
【００１０】
しかしながら、寸法に制約のある腕時計に用いる機械式時計のムーブメントにあって、上述した図６Ｂに示すように、香箱から径方向に突出した香箱歯車の歯先円の径ｄｋに対
し、ぜんまいを収納する香箱体の外径ｄｒは、香箱歯車の歯底円より径小に形成され、ぜんまいの回転力の貯えに制約があった。
【００１１】
そして、特許文献１に示す香箱は、別々に製作した香箱歯車と香箱体をはめ込み一体化しても、香箱体の径方向に突出した香箱歯車を形成するものであり、従来の香箱と同様に、香箱歯車の歯底円の径より径小の香箱体に収納されるぜんまいは、その回転力の貯えに限度があり、更に、時計の駆動時間を増加する技術に関する記述もない。
【００１２】
そこで、本発明は、上記課題を解決し、香箱のサイズの制限が課せられている中で、香箱のぜんまいの収納容積を増加して時計の駆動時間を増大させると共に、作り易い部品点数の少ない香箱を提供することを目的とするものである。
【課題を解決するための手段】
【００１３】
本発明の香箱は、上記目的を達成するために、下記記載の構成を採用するものである。
【００１４】
香箱真に嵌合する時計駆動用のぜんまいを収納した香箱において、ぜんまいが解けるときの回転力を輪列機構に伝達する歯が、香箱の側壁部の上端面又は下端面に、香箱真の軸方向と並行する凸形状で一体に設けられており、凸形状は、側壁部の厚みと異なっている
ことを特徴とする。
【００１６】
本発明に係る香箱は、香箱真に嵌合する時計駆動用のぜんまいを収納した香箱において、ぜんまいが解けるときの回転力を輪列機構に伝達する歯が、香箱の側壁部の上端面又は下端面に、香箱真の軸方向と並行する凸形状で一体に設けられており、香箱の上面又は下面を覆う蓋部材と凸形状とが噛合う構造で嵌合されていてもよい。
【発明の効果】
【００１７】
以上のように、本発明の香箱は、香箱の筒形状の側壁部の端面を溝切するだけで、側壁部の延長線上に一体に凸形状の歯車を形成し、ぜんまいを収納する香箱の側壁部の径を香箱歯車の歯先の径にまで増加した構成とすることができるため、ぜんまいの容量を拡大して時計の駆動時間を大幅に延長することが可能となる。
【図面の簡単な説明】
【００１８】
【図１】本発明の第１の実施形態における香箱を示す斜視図である。
【図２Ａ】本発明の第１の実施形態における香箱の構成を説明するための斜視図である。
【図２Ｂ】本発明の第１の実施形態における香箱の構成を説明するための断面図である。
【図２Ｃ】本発明の第１の実施形態における香箱歯車の歯を示す平面図である。
【図２Ｄ】本発明の第１の実施形態における香箱歯車の歯を示す平面図である。
【図３】本発明の第１の実施形態における香箱体の変形例を示す断面図である。
【図４】本発明の第１の実施形態における香箱体の変形例を示す断面図である。
【図５Ａ】本発明の第２の実施形態における香箱を示す斜視図である。
【図５Ｂ】本発明の第２の実施形態における香箱の構成を説明するための分解斜視図である。
【図５Ｃ】本発明の第２の実施形態における香箱歯車の歯と香箱上蓋の突起部との嵌合状態を示す平面図である。
【図６Ａ】従来の香箱の参考例を示す斜視図である。
【図６Ｂ】従来の香箱の参考例を示す断面図である。
【発明を実施するための形態】
【００１９】
本発明の香箱は、香箱体の側壁部の上端面又は下端面に、香箱真の軸方向と並行する凸形状の歯を溝切りで形成することによって、香箱体の側壁部の延長線上に、香箱歯車が一体で形成されている点が特徴的である。
【００２０】
以下、図面を用いて本発明の香箱を詳述する。
【００２１】
図１から図４を用いて第１の実施形態を説明する。次に、図５Ａから図５Ｃを用いて第２の実施形態を説明する。なお、各図において同一の構成部材には同一の番号を付して、重複する説明は省略する。
［香箱の第１の実施形態の説明：図１、図２］
図１は、本発明の香箱とそれに噛み合う輪列機構を説明するための斜視図であり、図２Ａは、香箱歯車を見やすくするため香箱を裏返しした斜視図であり、図２Ｂは、図２Ａに示す香箱の断面図である。図２Ｃ及び図２Ｄは香箱歯車の凸形状の歯の詳細を示す平面図である。
【００２２】
図１に示すように、本発明の第１の実施形態の香箱１は、香箱体１１の側壁部１１１の延長線上に香箱真１０の軸方向と並行した凸形状の歯２１１が全周にわたり形成され、香箱歯車２１を形成している。そして、香箱歯車２１の歯２１１は、輪列機構の１つである２番車５０のカナ５１と噛み合い、ぜんまいの回転力を２番車以降の輪列機構を介して脱進機及び調速機に伝達する機能を有する。例えば、カナ５１の外径はφ１．９ｍｍ、歯厚の隙間は２５０μｍ程度で、香箱歯車の外径はφ１１．６ｍｍ、歯幅は、２００μｍ程の寸法である。
【００２３】
図２Ａ及び図２Ｂに示すように、本発明の第１の実施形態の香箱１は香箱体１１が円筒状の側壁部１１１と底部４１からなるドラム形状であって、香箱体１１とその上部に嵌めこまれた蓋部材である香箱上蓋３１と香箱真１０により形成される閉空間にぜんまい１５を収納している。香箱体１１の側壁部１１１の内壁に嵌合し嵌めこまれた香箱上蓋３１は、その上面が側壁部１１１に形成された歯２１１の溝の底面と一致するか少し低く形成され、２番車のカナ５１との干渉を避ける構成である。
【００２４】
香箱真１０は、香箱上蓋３１の中心軸の孔３１１と、香箱体１１の底部４１の中心軸の孔４１１で回転自在に支持されている。ぜんまい１５は、その内端が香箱真１０のフックに引っ掛け固定され、その外周端がスリッピングアタッチメントを介して香箱体１１の側壁部１１１の内壁に摩擦抵抗で滑合され、香箱真１０を回してぜんまいを巻き上げることにより香箱１に回転力が貯えられる。
【００２５】
図２Ｃは、図２Ａに示す円で囲まれたＡ部を拡大し、上から見た上面図であり、香箱歯車２１の歯２１１は、香箱体１１の側壁部１１１の外周円に対して直交するように上端面１１２から切り込んだ溝２１２により形成される。溝２１２は、２５０μｍほどの一定幅の溝で形成されているため、歯２１１は、僅かながら扇形状となるが、２番車のカナ５１（図１参照）と噛み合う稜線にはエッジを面取りして丸みを付したフィレット２１３を形成することでスムーズな噛み合いを可能とすることが好ましい。
【００２６】
歯２１１の厚み（ｕ）は、香箱１１の側壁部１１１の厚み（ｔ）と同じである必要は無く、図２Ａの円で囲まれたＡ部を拡大し、上から見た上面図である図２Ｄに示すように、歯２１１を側壁部１１１の厚みより薄くしてもよい。図２Ｄに示す歯２１１は、側壁部１１１の厚さより薄く、歯丈が短く形成されており、２番車のカナ５１と噛み合う稜線にフィレット２１３を形成することが好ましい。歯２１１の歯丈を側壁部１１１の厚さより薄く形成することで、半径方向に側壁部１１１の厚さの範囲で歯の位置を設定して、転位歯車のような歯車の噛み合いの適正な位置設定が可能となる。
【００２７】
上記説明の通り、本発明の香箱１は、香箱体１１の側壁部１１１の延長線上に凸形状に形成された歯２１１により香箱歯車２１が形成されたものであり、いわゆる歯丈が側壁部１１１の厚さに相当し、歯厚が溝深さに相当する。従って、図２Ｂに示す香箱体１１の側壁部１１１の外径ｄｒは、香箱歯車２１の外径ｄｋと等しく、ぜんまい１５を収納する香箱１の香箱体１１を香箱歯車２１の歯先にまで大きくすることができる。ぜんまい１５を収納する容積の増加によって、時計の駆動時間を大幅に延長することが可能となり、しかも、円筒の端面に溝を形成するだけで容易に歯車が形成され、部品点数の少ない香箱が提供可能である。
［香箱体の変形例の説明：図３、図４］
上記説明では香箱体１１の形状を側壁部１１１と底部４１とで構成されるドラム形状として説明したが、香箱体の変形例について図面を用いて説明する。図３及び図４は香箱体の変形例を示す断面図である。
【００２８】
図３に示す香箱は、図２Ｂに示すドラム形状の香箱体１１と異なり、円筒形状の香箱体１２と蓋部材である香箱下蓋４２とに分割した部品構成とし、側壁部１２１のみとなった香箱体１２の延長線上の端面に香箱歯車が形成されている点が特徴的である。
【００２９】
図３に示すように、香箱２は、香箱体１２と、蓋部材である香箱上蓋３１と香箱下蓋４２と、香箱真１０とにより形成される閉空間にぜんまい１５を収納している。第１の実施形態では、香箱体１１がその底部４１と一体であったが、香箱体の変形例において、香箱体１２は、円筒形状であって、底部を有せず、香箱下蓋４２が嵌合して、その底部を形成するものである。香箱上蓋３１は、第１の実施形態と同様、香箱体１１に嵌合して、その上面は香箱歯車２１の歯底に一致する位置にまで嵌めこまれている。そして、香箱体１２に嵌めこまれた香箱上蓋３１と香箱下蓋４２のそれぞれの中心軸の孔３１１と孔４２１で香箱真１０が回転自在に支持されている。
【００３０】
そして、香箱歯車２１は、第１の実施形態と全く同様に、香箱体１２の側壁部１２１の延長線上に凸形状の歯２１１が一体に形成されている。従って、ぜんまい１５を収納する香箱体の外径を香箱歯車の歯先にまで増すことを可能とし、時計の駆動時間を大幅に延長することが可能であり、しかも、円筒状部材から端面に溝切りするだけで香箱歯車２１を有する香箱体１２が容易に形成可能である。すなわち、両端面が開口した円筒形状の香箱体１２の片側の端面、すなわち、上端面又は下端面に溝切りするだけで容易に香箱歯車２１が提供可能となる。
【００３１】
また、香箱体１２の底部を形成する香箱下蓋４２を省いた構成とすることもできる。
【００３２】
図４に示すように、香箱３は、香箱体１２と香箱上蓋３２と香箱真１０により形成され、図３で示した香箱下蓋４２が省かれた開空間にぜんまい１５を収納している。そして、香箱体１２に嵌めこまれた香箱上蓋３２の中心軸の孔３２１は、香箱真１０の片持ちの軸受けであって、こじれを考慮して軸受面積を広く形成することが好ましい。
【００３３】
図４に示す香箱３は、香箱歯車２１の歯２１１が、第１の実施形態と同様の凸形状で、香箱体１２の側壁部１２１の上端面または下端面に形成されているため、ぜんまい１５を収納する香箱体１２の側壁部１２１の径が香箱歯車２１の外径と等しく形成され、巻数や長さを増加して時計の駆動時間を延長することが可能であり、香箱下蓋４１を省き部品点数を削減したことにより安価な香箱が提供可能である。
［香箱の第２の実施形態の説明：図５］
図５Ａから図５Ｃは、本発明の第２の実施形態の香箱を説明する斜視図と分解斜視図と平面図である。図５Ａは、第２の実施形態の香箱４を示す斜視図であり、図５Ｂは、第２
の実施形態の香箱歯車と蓋部材である香箱上蓋３３の構造を説明するための分解斜視図である。図５Ｃは香箱歯車の凸形状の歯２３１と香箱上蓋３３の突起部３３１を説明するための平面図である。
【００３４】
本発明の第２の実施形態の香箱４は、第１の実施形態と構成はほとんど同じであるが、異なる点は香箱上蓋３３に形成した突起部３３１が香箱歯車の歯２３１と噛み合うと共に歯底に当接して嵌めこまれている点が特徴的である。
【００３５】
図５Ａ及び図５Ｂに示す香箱４は、第１の実施形態において図３を用いて説明した香箱と同様に、円筒形状の香箱体１４と香箱上蓋３３と香箱下蓋４２と香箱真１０により形成される閉空間にぜんまい１５を収納している。
【００３６】
そして、香箱上蓋３３は、半径方向に複数の突起部３３１を複数箇所に形成し、この突起部３３１が歯２３１と噛み合い嵌合し香箱歯車２３の歯底に当接され嵌合して固着されている。従って、香箱歯車２３の歯切りの溝深さは、２番歯車のカナと噛み合う分と香箱上蓋３３の板厚分を勘案した寸法であり、第１の実施形態の溝の深さより香箱上蓋３３の分だけ深い溝であることが異なる点である。
【００３７】
図５Ｃは、図５Ａに示す円で囲まれたＢ部を拡大し、上から見た上面図であり、香箱上蓋３３の突起部３３１は、香箱歯車２３の歯２３１を挟み込むと共に噛み合い、溝２３２の底面に当接するまで嵌めこまれている。従って、第１の実施形態の香箱上蓋３１が円周全体で香箱体１１に嵌合して嵌めこまれているのと異なり、溝２３２の底面が香箱上蓋３３に設けた突起部３３１に対して位置決めのためのストッパーの役割を果たすので、香箱上蓋３３と香箱体１４との位置合わせの精度が出しやすく、嵌め込みやすい構造となる。歯２３１は、第１の実施形態と同様に、溝切りによる溝２３２よって、僅かながら扇形状であり、２番車のカナ５１と噛み合う稜線にフィレット２３３を形成することが推奨される。本実施形態にあっては、香箱上蓋３３に２個の突起部３３１が４箇所形成されているが、突起部の個数及び配置箇所は、これに限定されるものではない。
【００３８】
従って、第２の実施形態の香箱４は、上述したように、香箱体の円筒端面を溝切りするだけで香箱歯車を香箱体に一体で形成し、その香箱歯車に噛み合う突起部を有する香箱上蓋の組み込み及びぜんまいの組み込みが容易であって、そして、香箱の容積を香箱歯車の歯先にまで径大とすることを可能とし、時計の駆動時間を大幅に延長することが可能である。
【００３９】
以上、本発明の好ましい実施の態様を説明してきたが、本発明は、これに限定されるものではなく、
各実施形態や変形例をそれぞれ組み合わせてもよい。
【００４０】
なお、本発明は、上述した香箱の実施例に限定されることはなく、それらの全てを行う必要もなく、特許請求の範囲の各請求項に記載した内容の範囲で様々に変更や省略をすることができることは言うまでもない。
【符号の説明】
【００４１】
１、２、３、４  香箱
１０  香箱真
１１、１２、１４  香箱体
１５  ぜんまい
２１、２３  香箱歯車
３１、３３  香箱上蓋
４１  香箱体底部
４２  香箱下蓋
１１１、１２１  側壁部
２１１、２３１  香箱歯車の歯
２１２、２３２  溝
４１１  底部の孔
４２１  香箱下蓋の孔
【図１】
0006646470.tif 000002
【図２Ａ】
0006646470.tif 000003
【図２Ｂ】
0006646470.tif 000004
【図２Ｃ】
0006646470.tif 000005
【図２Ｄ】
0006646470.tif 000006
【図３】
0006646470.tif 000007
【図４】
0006646470.tif 000008
【図５Ａ】
0006646470.tif 000009
【図５Ｂ】
0006646470.tif 000010
【図５Ｃ】
0006646470.tif 000011
【図６Ａ】
0006646470.tif 000012
【図６Ｂ】
0006646470.tif 000013